(57)【要約】【課題】簡単な構造で光の利用効率が高く厚みの薄い光学素子、及び光学素子を用いた光ヘッドを提供する。【解決手段】記録媒体に対して相対移動するスライダに搭載される光学素子において、光源からの光を結合し、該光を出射する側の端面が光軸に対し傾斜した斜面に形成された光ファイバーと、光ファイバーの斜面に形成され、光ファイバーから出射される光を反射させてスライダに結合させる為の所定の位置に集光させるレンズと、を有する。【選択図】図４
2008305501.tif 000002
【特許請求の範囲】
【請求項１】
記録媒体に対して相対移動するスライダに搭載される光学素子において、
光源からの光を結合し、該光を出射する側の端面が光軸に対し傾斜した斜面に形成された光ファイバーと、
前記光ファイバーの前記斜面に形成され、前記光ファイバーから出射される光を反射させて前記スライダに結合させる為の所定の位置に集光させるレンズと、を有することを特徴とする光学素子。
【請求項２】
前記斜面は、前記光軸に対し略４５度の角度をなして形成されることを特徴とする請求項１に記載の光学素子。
【請求項３】
前記レンズは、前記光ファイバーから出射される光を全反射させることを特徴とする請求項１または２に記載の光学素子。
【請求項４】
前記光ファイバーのコアの屈折率をｎ1、クラッドの屈折率をｎ2、前記レンズの屈折率をｎ3、とすると、ｎ1、ｎ2、ｎ3は、下記（式１）、（式２）の関係を満足することを特徴とする請求項１乃至３のいずれか１項に記載の光学素子。
０．９＜ｎ1／ｎ3＜１．１      （式１）
０．９＜ｎ2／ｎ3＜１．１      （式２）
【請求項５】
前記レンズの光軸は、前記光ファイバーの前記斜面に垂直であり、
前記斜面に平行な方向において、前記レンズの中心と前記コアの中心は偏心しており、その偏心量をＨ、前記レンズの面頂点と前記斜面における前記コアの中心との距離をＴとすると、Ｔ、Ｈは、下記（式３）の関係を満足することを特徴とする請求項４に記載の光学素子。
１．２＜Ｔ／Ｈ＜１．６      （式３）
【請求項６】
前記レンズの材料は、ポリカーボネート、シクロオレフィン、アクリル、ＰＤＭＳのいずれかからなる樹脂であることを特徴とする請求項１乃至５のいずれか１項に記載の光学素子。
【請求項７】
前記レンズは、アナモルフィックレンズであり、
前記アナモルフィックレンズの、前記光ファイバーから出射された光の折り返し方向の曲率は、該折り返し方向に直行する方向の曲率よりも大きいことを特徴とする請求項１乃至６のいずれか１項に記載の光学素子。
【請求項８】
記録媒体への情報記録に用いる近接場光を発生する近接場光発生部と、
前記近接場光発生部に光を導く光導波路と、を備えて前記記録媒体に対して相対移動するスライダと、
前記スライダに搭載され、前記光導波路に光源からの光を導く、請求項１乃至７のいずれか１項に記載の光学素子と、を有することを特徴とする光ヘッド。
【発明の詳細な説明】
【技術分野】
【０００１】
本発明は、光学素子、及び光ヘッドに関する。
【背景技術】
【０００２】
磁気記録方式では、記録密度が高くなると磁気ビットが外部温度等の影響を顕著に受けるようになる。このため高い保磁力を有する記録媒体が必要になるが、そのような記録媒体を使用すると記録時に必要な磁界も大きくなる。記録ヘッドによって発生する磁界は飽和磁束密度によって上限が決まるが、その値は材料限界に近づいており飛躍的な増大は望めない。そこで、記録時に局所的に加熱して磁気軟化を生じさせ、保磁力が小さくなった状態で記録し、その後に加熱を止めて自然冷却することにより、記録した磁気ビットの安定性を保証する方式が提案されている。この方式は熱アシスト磁気記録方式と呼ばれている。
【０００３】
熱アシスト磁気記録方式では、記録媒体の加熱を瞬間的に行うことが望ましい。また、加熱する機構と記録媒体とが接触することは許されない。このため、加熱は光の吸収を利用して行われるのが一般的であり、加熱に光を用いる方式は光アシスト式と呼ばれている。
【０００４】
光アシスト式で超高密度記録を行う場合、必要なスポット径は２０ｎｍ程度になるが、通常の光学系では回折限界があるため、光をそこまで集光することはできない。
【０００５】
そのため、入射光波長以下のサイズの光学的開口から発生する近接場光を利用する近接場光ヘッドが利用されているが、従来の近接場光ヘッドは光の利用効率が低いといった問題があった。そこでこのような問題に対応する為、種々の方法が検討がされている。
【０００６】
例えば、ギャップを介して対向する一対の構造体を近接場光プローブ及び書き込み用磁気ヘッドとして兼用する。ギャップの間隔と幅を入射光の波長λよりも小さくすると反対面のギャップ位置から高強度の近接場光を発生する。この近接場光により加熱された媒体に、一対の構造体から記録磁界を付与して磁気的に書き込みを行う光アシスト磁気記録ヘッドが知られている（特許文献１参照）。
【０００７】
また、近接場光を発生させる微小開口の周辺に、周期的凹凸構造を持つ金属膜を形成することで、プラズモンを介したエネルギー伝播機構を実現し、光の利用効率を向上させる近接場光ヘッドが知られている（特許文献２参照）。
【０００８】
また、可とう性を有する略棒状の光導波路を用い、光導波路の一端側にコア内を伝搬する光の少なくとも一部をクラッドを透過する方向に反射する反射面と、反射面で反射された光が透過する部位を中心とするクラッド表面に光の透過を遮断する遮光膜を設ける。さらに反射面で反射された光が透過する部位に対応する遮光膜の一部を削除して、使用する光の波長よりも小さな開口部を形成することにより、先端の下面より近接場光を発生させる。これにより、媒体の記録情報を高空間分解能で検出（再生）可能とする光ピックアップが知られている（特許文献３参照）。
【特許文献１】特開２００２−２９８３０２号公報
【特許文献２】特開２００３−６９１３号公報
【特許文献３】特開２０００−２１５４９４号公報
【発明の開示】
【発明が解決しようとする課題】
【０００９】
特許文献１に記載の光アシスト磁気記録ヘッドは、光ファイバーから放出された光が光プリズムで反射され、透明誘電体ブロックを透過して記録素子のギャップ付近に光スポットを形成する構成としている。この場合、光ファイバーから放出される光は、記録素子のギャップ付近に到達するまでの距離が長いため広がってしまい、ギャップ付近での近接場光の発生に寄与する光の利用効率が低下する。
【００１０】
特許文献２に記載の近接場光ヘッドは、光ファイバーからの出射光を近接場光発生微小構造に到達させるために、Ａｌの蒸着膜による偏向素子とマイクロレンズによる集光素子を備えている。この場合、偏向素子及び集光素子の製造に手間がかかる上に、これらの素子の光損失が大きい。このため、集光の効果が微小構造付近での近接場光の発生に寄与する光の利用効率の向上に十分に寄与しない。また、マイクロレンズの光軸がスライダの浮上方向と略平行となる構成のため、近接場光ヘッドの全体の厚みを薄くすることが困難である。
【００１１】
特許文献３に記載の光ピックアップは、光導波路底面の開口への集光効率を向上させるために、開口部の直上に集光素子を配している。しかしながら、集光素子を配するだけでは集光効率の向上は望めず、また、集光効率向上のための光学系を反射面と底面の間に配することも非常に困難である。さらに反射面には一部を透過し残りを反射するような特性の反射膜が設けられているので、製造工程の増加による高価格化を招く恐れがある。さらに、本光ピックアップは、光磁気記録用のヘッドではないため、記録ヘッドや再生ヘッドについての記載が無い上に、構成上配置が困難なものと考えられる。
【００１２】
また、近年、例えばＨＤＤ（Ｈａｒｄ  Ｄｉｓｋ  Ｄｒｉｖｅ）の様な記録装置の高密度情報記録が進むに伴い、再生記録を行うヘッドの小型化、ヘッドを構成するスライダの小型化が望まれている。スライダのサイズは、国際ディスクドライブ協会（ＩＤＥＭＡ、Ｉｎｔｅｒｎａｔｉｏｎａｌ  Ｄｉｓｋ  Ｄｒｉｖｅ  Ｅｑｕｉｐｍｅｎｔ  ａｎｄ  Ｍａｔｅｒｉａｌｓ  Ａｓｓｏｃｉａｔｉｏｎ）スタンダードとして標準化されている。サイズの大きい順からミニ・スライダ、マイクロ・スライダ、ナノ・スライダ、ピコ・スライダ、フェムト・スライダと命名されている。これらのスライダの中で、大きさの観点から現在注目されているスライダは、ナノ・スライダ、ピコ・スライダ、フェムト・スライダである。これらのスライダの大きさ（サイズ）と質量を表１に示す。
【００１３】
【表１】
2008305501.tif 000003
【００１４】
高密度情報記録においては、上記のスライダの大きさから分かるように１枚のディスク上の情報の高密度化は勿論であり、更にディスクを多層配置する、又はできるだけ小型の筐体に収納することで空間的に高密度化することも必要である。例えば、多層のディスク配置を想定した場合、ディスク同士の間隔はできるだけ小さいことが要望され、表１で示したスライダの厚みを含めた光ヘッドの厚みは、１．５ｍｍ程度以下とすることが望まれている。
【００１５】
本発明は、上記の課題を鑑みてなされたものであって、簡単な構造で光の利用効率が高く厚みの薄い光学素子、及び光学素子を用いた光ヘッドを提供することを目的とする。
【課題を解決するための手段】
【００１６】
上記目的は、下記の１乃至８のいずれか１項に記載の発明によって達成される。
【００１７】
１．記録媒体に対して相対移動するスライダに搭載される光学素子において、
光源からの光を結合し、該光を出射する側の端面が光軸に対し傾斜した斜面に形成された光ファイバーと、
前記光ファイバーの前記斜面に形成され、前記光ファイバーから出射される光を反射させて前記スライダに結合させる為の所定の位置に集光させるレンズと、を有することを特徴とする光学素子。
【００１８】
２．前記斜面は、前記光軸に対し略４５度の角度をなして形成されることを特徴とする前記１に記載の光学素子。
【００１９】
３．前記レンズは、前記光ファイバーから出射される光を全反射させることを特徴とする前記１または２に記載の光学素子。
【００２０】
４．前記光ファイバーのコアの屈折率をｎ1、クラッドの屈折率をｎ2、前記レンズの屈折率をｎ3、とすると、ｎ1、ｎ2、ｎ3は、下記（式１）、（式２）の関係を満足することを特徴とする前記１乃至３のいずれか１項に記載の光学素子。
０．９＜ｎ1／ｎ3＜１．１      （式１）
０．９＜ｎ2／ｎ3＜１．１      （式２）
５．前記レンズの光軸は、前記光ファイバーの前記斜面に垂直であり、
前記斜面に平行な方向において、前記レンズの中心と前記コアの中心は偏心しており、その偏心量をＨ、前記レンズの面頂点と前記斜面における前記コアの中心との距離をＴとすると、Ｔ、Ｈは、下記（式３）の関係を満足することを特徴とする前記４に記載の光学素子。
１．２＜Ｔ／Ｈ＜１．６      （式３）
６．前記レンズの材料は、ポリカーボネート、シクロオレフィン、アクリル、ＰＤＭＳのいずれかからなる樹脂であることを特徴とする前記１乃至５のいずれか１項に記載の光学素子。
【００２１】
７．前記レンズは、アナモルフィックレンズであり、
前記アナモルフィックレンズの、前記光ファイバーから出射された光の折り返し方向の曲率は、該折り返し方向に直行する方向の曲率よりも大きいことを特徴とする前記１乃至６のいずれか１項に記載の光学素子。
【００２２】
８．記録媒体への情報記録に用いる近接場光を発生する近接場光発生部と、
前記近接場光発生部に光を導く光導波路と、を備えて前記記録媒体に対して相対移動するスライダと、
前記スライダに搭載され、前記光導波路に光源からの光を導く、前記１乃至７のいずれか１項に記載の光学素子と、を有することを特徴とする光ヘッド。
【発明の効果】
【００２３】
本発明によれば、光ファイバーの光を出射する側の端面を光軸に対し傾斜した斜面に形成し、該斜面に形成したレンズにより、光ファイバーから出射される光を反射させてスライダに結合させる為の所定の位置に集光させるようにした。これにより、光ファイバーからの光が集光される所定の位置に、スライダの光導波路を配置することにより、光源からの光を光導波路に効率よく入射させることができ、光の利用効率を高めることができる。また、光ファイバーをスライダに沿って配置することができるので、光ヘッドの厚みを薄くすることができる。
【発明を実施するための最良の形態】
【００２４】
以下図面に基づいて、本発明に係る光学素子、光ヘッドの実施の形態を説明する。尚、本発明を図示の実施の形態に基づいて説明するが、本発明は該実施の形態に限られない。
【００２５】
図１に、本発明の実施形態に係る光アシスト式磁気記録ヘッド（以下、光ヘッドと称する。）を搭載した光記録装置（例えば、ハードディスク装置）の概略構成を示す。
【００２６】
光記録装置１Ａは、記録用のディスク（磁気記録媒体）２、駆動軸６を支点として矢印Ａの方向（トラッキング方向）に回転可能に設けられたアーム５に支持されたサスペンション４、アーム５に取り付けられたトラッキング用アクチュエータ７、サスペンション４の先端に取り付けられた光ヘッド３、及びディスク２を矢印Ｂの方向に回転させる図示しないモータ等を筐体１の中に備えており、光ヘッド３がディスク２の上で浮上しながら相対的に移動しうるように構成されている。
【００２７】
図２は、光記録装置１Ａの光ヘッド３周辺部の要部構成を示す断面図であり、光記録装置１Ａの任意の２枚のディスク２の両面に記録再生する４つの光ヘッド３を示している。
【００２８】
光源２１は、アーム５の光ヘッド３がディスク２に光を照射する側の面に配置されている。光源２１から出射した光は、光ファイバー１１を介してスライダ１５に導かれる。
【００２９】
図３は、光記録装置１Ａの光ヘッド３周辺部の平面図であり、アーム５に配置する光源２１の位置を示している。
【００３０】
光源２１は、アーム５上に配置されている。光源２１に結合された光ファイバー１１は、サスペンション４に設けられた開口４ｈを通ってスライダ１５に結合される。光源２１は、アーム５上のどの位置でも良いが、サスペンション４に近い位置であれば光ファイバー１１の長さを短くすることができる。一方、光源２１を駆動軸６の回転中心６ａに近い位置に配置すると、駆動軸６の回転による光源２１の回転モーメントが少なくなり、図示しないアクチュエータ７によるスライダ１５の位置制御が容易になる。これらの点を考慮して最適な位置に光源２１を配置することが好ましい。
【００３１】
図４は、光ヘッド３の構成を示す断面図である。光ヘッド３は、ディスク２に対する情報記録に光を利用する光ヘッドである。光ヘッド３は、光源から出射された光ＬＢ１をスライダ１５に設けられた光導波路１６に導光する光ファイバー１１とレンズ１２から構成される光学素子１０、及びディスク２の被記録部分を近赤外レーザー光でスポット加熱するための光導波路１６、ディスク２の被記録部分に対して磁気情報の書き込みを行う磁気記録部１７、ディスク２に記録されている磁気情報の読み取りを行う磁気再生部１８等から構成されるスライダ１５等を備えている。
【００３２】
尚、図４ではディスク２の記録領域の進入側から退出側（図の→方向）にかけて、磁気再生部１８、光導波路１６、磁気記録部１７の順に配置されているが、配置順はこれに限らない。光導波路１６の退出側直後に磁気記録部１７が位置すればよいので、例えば、光導波路１６、磁気記録部１７、磁気再生部１８の順に配置してもよい。
【００３３】
光ファイバー１１により導光される光は、例えば、半導体レーザーより出射される光であり、その光の波長は１．２μｍ以上の近赤外波長（近赤外帯域としては、０．８μｍから２μｍ程度であり、具体的なレーザー光の波長としては、１３１０ｎｍ、１５５０ｎｍ等が挙げられる。）が好ましい。光ファイバー１１の端面から出射した近赤外レーザー光は、レンズ１２よって、スライダ１５に設けられた光導波路１６の上面に集光され、この光アシスト部を成す光導波路１６を導波して光ヘッド３からディスク２に向けて出射する。
【００３４】
スライダ１５は浮上しながら磁気記録媒体であるディスク２に対して相対的に移動するが、媒体に付着したごみや、媒体に欠陥がある場合には接触する可能性がある。その場合に発生する摩耗を低減するため、スライダの材質には耐摩耗性の高い硬質の材料を用いることが望ましい。例えば、Ａｌ2Ｏ3を含むセラミック材料、例えばＡｌＴｉＣやジルコニア、ＴｉＮなどを用いれば良い。また、摩耗防止処理として、スライダ１５のディスク２側の面に耐摩耗性を増すために表面処理を行っても良い。例えば、ＤＬＣ（Ｄｉａｍｏｎｄ  Ｌｉｋｅ  Ｃａｒｂｏｎ）被膜を用いると、近赤外光の透過率も高く、ダイヤモンドに次ぐＨｖ＝３０００以上の硬度が得られる。
【００３５】
また、スライダ１５のディスク２と対峙する面には、浮上特性向上のための空気ベアリング面（ＡＢＳ（Ａｉｒ  Ｂｅａｒｉｎｇ  Ｓｕｒｆａｃｅ）面とも称する。）を有している。スライダ１５の浮上はディスク２に近接した状態で安定させる必要があり、スライダ１５に浮上力を抑える圧力を適宜加える必要がある。このため、スライダ１５の上に固定されるサスペンション４は、光ヘッド３のトラッキングを行う機能の他、スライダ１５の浮上力を抑える圧力を適宜加える機能を有している。
【００３６】
光ヘッド３から出射した近赤外レーザー光が微小なスポットとしてディスク２に照射されると、ディスク２の照射された部分の温度が一時的に上昇してディスク２の保持力が低下する。その保持力の低下した状態の照射された部分に対して、磁気記録部１７により磁気情報が書き込まれる。
【００３７】
次に、光導波路１６について説明する。光導波路１６に後述の光スポットサイズ変換機能を持たせることで、光導波路１６の入射面に形成された光スポットの径を、光導波路１６の入射面での径に対して出射面で小さくすることができる。よって、より小さい光スポット径を記録媒体面に形成することができ、高記録密度化に対応することができる。
【００３８】
光スポットサイズ変換機能を持つ光導波路の例として図５を示す。図５（ａ）、図５（ｂ）は、光導波路１６の部分を光ヘッド３が相対的に移動する方向から見た様子を示し、図５（ｃ）は移動方向に対して垂直方向で且つ磁気記録面に対して平行方向から見た様子を模式的に示している。図５に示す光導波路１６は、コア１６ａ（例えばＳｉ）、サブコア１６ｂ（例えばＳｉＯＮ）及びクラッド１６ｃ（例えばＳｉＯ2）からなっている。その光導波路１６の光射出位置又はその近傍には、図５（ｃ）に示す様に、本発明における近接場光発生部に該当するプラズモンプローブ１６ｆが配置されている。そのプラズモンプローブ１６ｆの具体例を図６に示す。
【００３９】
図６（ａ）は、三角形の平板状金属薄膜（材料例：アルミニウム、金、銀等）からなるプラズモンプローブ１６ｆ、図６（ｂ）は、ボウタイ型の平板状金属薄膜（材料例：アルミニウム、金、銀等）からなるプラズモンプローブ１６ｆを示し、何れも曲率半径２０ｎｍ以下の頂点Ｐを有するアンテナからなっている。また、図６（ｃ）は、開口を有する平板状金属薄膜（材料例：アルミニウム、金、銀等）からなるプラズモンプローブ１６ｆを示し、曲率半径２０ｎｍ以下の頂点Ｐを有するアンテナからなっている。これらのプラズモンプローブ１６ｆに光が作用すると、その頂点Ｐ近辺に近接場光が発生して、非常に小さいスポットサイズの光を用いた記録又は再生を行うことが可能となる。つまり、光導波路の光射出位置又はその近傍にプラズモンプローブ１６ｆを設けることにより局所プラズモンを発生させれば、光導波路で形成された光スポットのサイズを小さくすることができ、高密度記録に有利となる。なおコア１６ａの中央にプラズモンプローブ１６ｆの頂点Ｐが位置することが好ましい。
【００４０】
光アシスト式で超高密度記録を行う場合に必要なスポット径が２０ｎｍ程度であり、光の利用効率を考えると、プラズモンプローブ１６ｆにおけるモードフィールド（ＭＦＤ）は０．３μｍ程度が望ましい。このＭＦＤの大きさでは光の入射が困難であるため、スポット径を５μｍ程度から数１００ｎｍまで小さくするスポットサイズ変換を行う必要がある。
【００４１】
図５において、コア１６ａの幅は、図５（ｃ）が示す断面では光入力側から光出力側にかけて一定になっているが、図５（ａ）に示す断面ではサブコア１６ｂ内において光入力側から光出力側にかけて徐々に広くなるように変化している。この光導波路径の滑らかな変化によりモードフィールド径が変換される。つまり、光導波路１６のコア１６ａの幅は、図５（ａ）に示すように、光入力側で０．１μｍ以下、光出力側で０．３μｍとなっているが、図５（ｂ）に示すように、光入力側ではサブコア１６ｂによりＭＦＤが５μｍ程度の光導波路が構成され、その後徐々にコア１６ａに光結合してモードフィールド径が小さくすることができる。このように、光導波路１６の光出力側のモードフィールド径をｄとし、光導波路１６の光入力側のモードフィールド径をＤとしたとき、光導波路径を滑らかに変化させることによりモードフィールド径を変換して、Ｄ＞ｄを満たすようにすることが好ましい。
【００４２】
ところで、このような構成の光ヘッド３において、光ファイバー１１の光が出射する側の端面を単に４５度の斜面に形成するのみで、該斜面にて光源からの光ＬＢ１を反射させて光導波路１６に導く構成では、２つの重大な損失が発生し光の利用効率の低下を招く。そこで、本発明に係る実施形態においては、後述する様に、光ファイバー１１の光が出射する側の端面を４５度の斜面に形成すると伴に、該斜面にレンズ１２を形成することによって、光の利用効率を高める様にするものである。
【００４３】
ここで、２つの重大な損失とは、全反射の利用不足、及び集光作用不足によるものであり、以下その詳細について説明する。
【００４４】
まず４５度の斜面における全反射の利用不足について説明する。一般の光ファイバーはシリカを用いているので屈折率は約１．４５である。その場合の臨界角Θｃは、Θｃ＝ｓｉｎ−１（１／ｎ）より４３．６度となる。従って、４５度研磨の光ファイバーの場合は、発散角度１．４度以上の光は斜面で全反射せずに透過してしまう。一方、光ファイバーのＮＡは、通常タイプでも０．１２等の値があり、ＮＡ＝ｎ＊ｓｉｎΘより±４．７度の光が存在する。従って、図７に示す様に、単純に４５度研磨の光ファイバー１１を用いただけでは光ファイバーの斜面１１ｓを透過してしまう光ＬＢ２１が存在し、集光効率が低下するので好ましくない。この問題を解決するために、金属や誘電体多層膜の反射コートを研磨光ファイバー１１の斜面１１ｓに配することは可能ではあるが、コスト高となってしまうので好ましくない。また、反射コートは全反射と異なり、金属の吸収や膜の誤差等で反射率が１００％にはならないので、真の高効率素子とはいえない。
【００４５】
次に、集光作用不足について説明する。図７に示す様に、光ファイバー１１の斜面１１ｓで反射した光ＬＢ２２は、広がろうという作用を持っているので、光ファイバー１１の底面１１ｔにおいては大きく広がってしまう。これでは良好な集光を行うことが困難である。
【００４６】
そこで、前述の２つの問題を解決するためには、図８に示す様に、光ファイバー１１の端面を４５度の斜面１１ｓに形成すると伴に、その先端に集光作用を有する光学素子（レンズ１２）を配することが好ましい。レンズ１２を配すると光ファイバー１１の底面１１ｔで良好な集光をしているのでロスがない。また、レンズ１２の反射面での光の入射角度を図８中の上端１２ｕ、中心１２ｍ、下端１２ｌで全て４５度±１度に収めることができる。従ってレンズ１２の反射面に反射コートをすることなく全て全反射するので、集光作用と全反射作用の相乗効果により、非常に効率の高い光学素子１０を実現できる。尚、レンズ１２は、その光軸１２Ｌが光ファイバー１１の斜面１１ｓに垂直になる様に形成されている。また、斜面１１ｓの傾斜角度は、４５度に限定されるものではなく、例えば、４５度±５度の範囲の値であってもよい。
【００４７】
レンズ１２は、熱硬化樹脂や熱過疎樹脂（ポリカーボネート、シクロオレフィン、アクリル）、ＰＤＭＳ（ポリジメチルシロキサン）を光ファイバー１１の斜面１１ｓに適当な量を滴下し、硬化させることで、容易に形成することができる。
【００４８】
また、光ファイバー１１の先端を溶かして金型に押し付けることや、金型に樹脂やガラスを入れて４５度カットされた端面に成形する方法等でも可能である。
【００４９】
光ファイバー１１のＮＡによってはレンズ１２の表面で全ての光束を全反射させることができない場合もあるが、レンズ１２の設計によって全反射させるようにすることが好ましいのは利用効率の面からも明らかである。
【００５０】
レンズ１２の屈折率は、光ファイバー１１のコア１１ａの屈折率に近いほうが良い。ここで、光ファイバー１１のコア１１ａの屈折率をｎ1、レンズ１２の屈折率をｎ3とすると、ｎ1、ｎ2は、下記（式１）の関係を満たす。
０．９０＜ｎ1／ｎ3＜１．１０      （式１）
上記（式１）は、研磨端からのレンズの屈折角度を小さくするための条件式である。上限値を超えると、光線は図９（ａ）に示す様に、上側に屈折し、全反射しにくい方向に行くので好ましくない。下限値を下回ると、光線は図９（ｂ）に示す様に、全反射には有利な方向に屈折するが、集光点が光ファイバー１１の先端１１ｐに近くなりすぎる。研磨や切断された光ファイバー１１の周囲（先端１１ｐ付近）は、ピッチングや傷等が入りやすいため、その部分を光が透過することは特性の悪化を招くので好ましくない。更には下記（式２）の関係を満たすことが好ましい。
０．９５＜ｎ1／ｎ3＜１．０５      （式２）
また、レンズ１２の屈折率は、光ファイバ−１１のクラッド１１ｂの屈折率に近いほうが良い。ここで、光ファイバー１１のクラッド１１ｂの屈折率をｎ2、レンズ１２の屈折率をｎ3とすると、ｎ2、ｎ2は、下記（式３）の関係を満たす。
０．９０＜ｎ2／ｎ3＜１．１０      （式３）
上記（式３）は、図１０（ａ）、図１０（ｂ）中Ａ部における屈折角度を小さくするための条件式である。上限値および下限値を超えると、光線は図１０（ａ）、図１０（ｂ）に示す様に、それぞれ左右に屈折されてしまう。集光する光線が楔形の屈折を受けると非点格差が発生することは一般に知られているが、上記（式３）は非点格差を良好に抑えるための条件式である。逆に条件式から外れると、集光スポットにおける非点格差（収差）によって、スポットが広がってしまい効率を悪化させてしまう。更には下記（式４）の関係を満たすことが好ましい。
０．９５＜ｎ2／ｎ3＜１．０５      （式４）
さらに、図１１に示す様に、レンズ１２は、その光軸１２Ｌが光ファイバー１１の斜面１１ｓに垂直になる様に形成されており、斜面１１ｓに平行な方向において、レンズ１２の中心と光ファイバー１１のコア１１ａの中心は偏心している。その偏心量をＨ、レンズ１２の面頂点１２ｐと斜面１１ｃにおけるコア１１ａの中心との距離をＴとすると、Ｔ、Ｈは、下記（式５）の関係を満たす。
１．２＜Ｔ／Ｈ＜１．６      （式５）
上記（式５）は、レンズ１２の最適な偏心量を示している。偏心量Ｈが０の場合は、図１２に示す様に、極端に光線が曲がってしまう。集光への影響というよりは、スライダ１５への結合効率が悪化することのほうが懸念される。斜面１１ｓの傾斜角度が正確に４５度で、コア１１ａとレンズ１２の屈折率が同じだとすると、Ｔ／Ｈは、ルート２、つまり１．４１４２であると９０度の折り曲げを実現できる。従って、この値を中心に許容量が決まる。
【００５１】
図１３にレンズ１２の中心１２ｐと光ファイバー１１のコア１１ａの中心との偏心の様子を示す。図１３（ａ）乃至図１３（ｄ）は、偏心量が異なる場合の例を示す模式図、図１３（ｅ）は、偏心していない場合を示す模式図である。尚、図１３は、図１１において、光ファイバー１１の斜面１１ｓに垂直な方向（矢印Ａ方向）から見た図である。図１３（ａ）乃至図１３（ｄ）に示す様に、レンズ１２の中心１２ｐは、光ファイバー１１のコア１１ａの中心に対して、光ファイバー１１の底面１１ｔ、すなわちスライダ１５の方向に偏心している。
【００５２】
尚、レンズ１２は、アナモルフィックレンズであり、光ファイバー１１から出射された光の折り返し方向の曲率は、該折り返し方向に直行する方向の曲率よりも大きい。これにより、レンズ１２の反射面による非点格差を抑えることができる。
【００５３】
ここで、コア１１ａの屈折率ｎ1、クラッド１１ｂの屈折率をｎ2、レンズ１２の屈折率ｎ3、並びにレンズ１２の中心と光ファイバー１１のコア１１ａの中心の偏心量Ｈ、レンズ１２の面頂点１２ｐとコア１１ａの中心との距離Ｔ、レンズ１２の曲率半径Ｒ等のパラメータを変化させた場合の、光ファイバー１１からの光の進路のシュミレーション結果を図１４に示す。
【００５４】
シュミーレーション例Ｓ１乃至Ｓ５の各パラメータの設定値を表２に示す。表２においてＳ１乃至Ｓ３は、いずれも上記（式１）乃至（式５）の関係を満たす値に設定した。また、Ｓ４は、上記（式１）乃至（式４）の上限値を上回る設定、Ｓ５は、上記（式１）乃至（式４）の下限値を下回る値に設定した。図１４（ａ）乃至図１４（ｅ）は、それぞれシュミレーションＳ１乃至Ｓ５の結果を示す図である。
【００５５】
【表２】
2008305501.tif 000004
【００５６】
前述の各パラメータが上記（式１）乃至（式５）の関係を満たす値の場合（Ｓ１、Ｓ２）は、図１４（ａ）、図１４（ｂ）に示す様に、光ファイバー１１からの光ＬＢ１１は、光ファイバー１１の底面１１ｔの所定の位置に良好に収束していることが確認できる。また、Ｓ３の場合は、図１４（ｃ）に示す様に、レンズ１２の底面１２ｔに収束しているが、後述の図１４（ｄ）中Ｃ部に示す様な楔屈折を生じることはなく、光ファイバー１１からの光ＬＢ１１は光導波１６に良好に導かれる。尚、この場合のレンズ１２の底面１２ｔとは、光ファイバー１１の斜面１１ｓに形成されたレンズ１２がスライダ１５と接触する部分を意味し、底面１２ｔは平面であっても、円筒面であってもよい。
【００５７】
一方、図１４（ｄ）に示す様に、レンズ１２の屈折率ｎ3が小さく、上記（式１）乃至（式４）の上限値を上回る場合（Ｓ４）は、光ファイバー１１の端面からの光が、紙面で下方にいくこと（図１４（ｄ）中Ｂ部）、さらに楔屈折による性能劣化（図１４（ｄ）中Ｃ部）が発生することが確認できる。すなわち良好な光学ヘッドとはいえない。
【００５８】
また、図１４（ｅ）に示す様に、レンズ１２の屈折率ｎ3が大きく、上記（式１）乃至（式４）の下限値を下回る場合（Ｓ５）は、光ファイバー１１の端面からの光は、図１４（ｄ）の場合と逆方向に大きく変化し、同様に良好な結果が得られないことが確認できる。
【００５９】
このように、本発明の実施形態に係る光ヘッド３によれば、光ファイバー１１の光を出射する側の端面を光軸に対し４５度の角度をなす斜面１１ｓに形成し、該斜面１１ｓに形成したレンズ１２により、光ファイバー１１から出射される光を全反射させて光ファイバー１１の底面１１ｔの所定の位置に集光させるようにした。これにより、光ファイバー１１からの光が集光される所定の位置に配置された光導波路１６に、光源からの光を効率よく入射させることができ、光の利用効率を高めることができる。また、光ファイバー１１をスライダ１５に沿って配置することができるので、光ヘッド３の厚みを薄くすることができる。
【図面の簡単な説明】
【００６０】
【図１】本発明の実施形態に係る光ヘッドを搭載した光記録装置の概略構成を示す斜視図である。
【図２】光記録装置の光ヘッド周辺部の断面図である。
【図３】光記録装置の光ヘッド周辺部の平面図である。
【図４】本発明の実施形態に係る光ヘッドの構成を示す断面図である。
【図５】光導波路の構成を示す断面図である。
【図６】プラズモンプローブの構成を示す図である。
【図７】光ファイバーの終端面における光線の様子を示す模式図である。
【図８】光ファイバーの終端面及びレンズの反射面における光線の様子を示す模式図である。
【図９】レンズの屈折率とコアの屈折率の関係による光線の変化の様子を示す模式図である。
【図１０】レンズの屈折率とクラッドの屈折率の関係による光線の変化の様子を示す模式図である。
【図１１】コア中心とレンズ中心との偏心量を説明する模式図である。
【図１２】コア中心に対しレンズ中心が偏心していない場合のレンズの反射面における光線の様子を示す模式図である。
【図１３】コア中心とレンズ中心との偏心の様子を示す模式図である。
【図１４】シュミレーションによる光線の様子を示す図である。
【符号の説明】
【００６１】
１Ａ  光記録装置
１  筐体
２  ディスク
３  光ヘッド
４  サスペンション
４ｈ  開口
５  アーム
６  駆動軸
７  アクチュエータ
８  支軸
１０  光学素子
１１  光ファイバー
１１ａ  コア
１１ｂ  クラッド
１２  レンズ
１５  スライダ
１６  光導波路
１６ａ  コア
１６ｂ  サブコア
１６ｃ  クラッド
１６ｆ  プラズモンプローブ
１７  磁気記録部
１８  磁気再生部
２１  光源
【図１】
2008305501.tif 000005
【図２】
2008305501.tif 000006
【図３】
2008305501.tif 000007
【図４】
2008305501.tif 000008
【図５】
2008305501.tif 000009
【図６】
2008305501.tif 000010
【図７】
2008305501.tif 000011
【図８】
2008305501.tif 000012
【図９】
2008305501.tif 000013
【図１０】
2008305501.tif 000014
【図１１】
2008305501.tif 000015
【図１２】
2008305501.tif 000016
【図１３】
2008305501.tif 000017
【図１４】
2008305501.tif 000018